(57)【要約】【課題】オゾンを取り扱いが簡単で安全な形態で利用した、低コストで持続性の高くオンサイトで効果を出す消臭剤及びその消臭スプレーの提供を課題とする。【解決手段】本発明消臭剤は、オレイン酸に気相オゾンを反応させることで生成したオゾン化オレイン酸を消臭基材とし、その溶媒としてエタノール水溶液を含有してなり、スプレー容器により噴霧するものである。オゾンをオゾン化オレイン酸含有エタノール水溶液という形態で利用する事により、取り扱いが簡単で低コストであり、生活臭に有効な消臭剤及び消臭スプレーを提供する車ができる。【特許請求の範囲】
【請求項１】
植物油成分としてのオゾン化したオレイン酸を消臭基材とする消臭剤。
【請求項２】
溶媒としてエタノール水溶液を用いることを特徴とする請求項１記載の消臭剤。
【請求項３】
スプレー容器により噴霧することを特徴とする請求項１又は２記載の消臭剤。
【発明の詳細な説明】
【０００１】
【発明の属する技術分野】
本発明は、空間または対象物に噴霧して悪臭を除去するためのオゾン化オレイン酸含有のスプレー式消臭剤に関する。
【０００２】
【従来の技術】
今日、医療・食品分野等で機器・食品の殺菌・洗浄に利用されているオゾンは、その強力な酸化作用により臭気成分を分解するという特徴を有していることから、脱臭・消臭にも利用されている。
【０００３】
従来、オゾンは気相オゾンまたはオゾン水として利用されており、気相オゾンによる靴用消臭装置（例えば、特許文献１参照）、気相オゾンによる着物の殺菌・脱臭装置（例えば、特許文献２参照）、並びにオゾン水により便器を無臭化する方法（例えば、特許文献３参照）等が開発され特許出願が行われている。
また、オゾン化植物油はドイツを初めとするヨーロッパ諸国では、その抗真菌性及び抗細菌性により皮膚疾患患部の殺菌並びに治療促進に用いられているが、形状はワセリン状である。（例えば、非特許文献１）
【０００４】
【特許文献１】
特開２００１−２８６５４３号
【特許文献２】
特開２００２−１３６７９８号
【特許文献３】
特開２００１−２４１０８６号
【非特許文献１】
「ヨーロッパにおける最新のオゾン療法」Ｒｅｎａｔｅ  Ｖｉｅｂａｈｎ−Ｈａｅｎｓｌｅｒ著，日本医療・環境オゾン研究会訳，ｐ．３３，ｐ．４３
【０００５】
【発明が解決しようとする課題】
気相オゾンによる脱臭にはオゾン発生装置が必要であり、その効果は認められていても発生装置のコストが高い、装置の設置場所及び電源が必要である、またオゾンの過剰発生による残存オゾンの処理、あるいはオゾン濃度の調整が難しい等の問題がある。さらに、装置自体の機能を維持させるために定期的なメンテナンスが必要とされる。
【０００６】
また、オゾン水による脱臭については、オゾン水中に溶解したオゾンは短時間で自然分解するため保存する事ができない。そのため、オゾン水生成装置の設置が必要であり、それに伴いオゾン発生装置と同様、コスト及び設置場所等の問題がある。
【０００７】
本発明はこれらの種々の課題や欠点を解決するためになされたものであり、固体であるオゾン化オレイン酸を噴霧可能な形状にし、低コストで日常生活全般の生活臭にオンサイトで効果を出し、持続性が高く、持ち運びが簡単で安全である、消臭剤及び消臭スプレーの提供を課題とする。
【０００８】
【課題を解決するための手段】
上記の課題を解決するために、本発明はオレイン酸に気相オゾンを反応させることで生成したオゾン化オレイン酸を消臭基材とし、その溶媒としてエタノール水溶液で希釈し濃度調整したオゾン化オレイン酸含有エタノール水溶液をスプレー容器により噴霧することを特徴とする消臭剤を提供することで、安全で簡単に、さらにオンサイトで持続的な消臭力を示すことを見出した。
【０００９】
【発明の実施の形態】
以下、本発明の実施の形態を説明する。本発明のオゾン化オレイン酸含有消臭剤は、消臭基材として、溶媒としてのエタノール水溶液を含むことが必要である。
【００１０】
本発明の消臭基材となるオゾン化オレイン酸は、オレイン酸に気相オゾンを反応させて得られるものであり、オゾン化オレイン酸はその調製に純酸素を原料として発生させたオゾン発生装置を用いて行う。
【００１１】
オレイン酸５００ｍＬにオゾン・酸素混合ガス１ｇＯ３／時を接触させ、約５０時間オレイン酸にオゾンを吸収させる。その吸収量は重量比で約１６％である。得られたオゾン化オレイン酸は室温で白色ワセリン状を呈し、以下の成分を含有する。
【化１】
ＣＨ３（ＣＨ２）７ＣＨ＝ＣＨ（ＣＨ２）７ＣＯＯＨ      オレイン酸
【化２】
ＣＨ３（ＣＨ２）７ＣＨＯＯＯＣＨ（ＣＨ２）７ＣＯＯＨ  オレイン酸オゾニド
【化３】
ＣＨ３（ＣＨ２）７ＣＨＯ                              １−ノナナール
【化４】
ＣＨ３（ＣＨ２）７ＣＯＯＨ                            ノナン酸
【化５】
ＨＯＯＣ（ＣＨ２）７ＣＯＯＨ                    ノナンジオイックアシッド
【化６】
ＯＨＣ（ＣＨ２）７ＣＯＯＨ                ノナノイックアシッド−９−アル
【００１２】
オゾン化オレイン酸は式８に示すように、式７のオレイン酸に含まれる１個の炭素−炭素二重結合（−Ｃ＝Ｃ−）に酸素原子が３個結合したものである。
【化７】
2004329810.tif 000002
【化８】
2004329810.tif 000003
すなわち、オゾン化オレイン酸は式９に示す構造式となる。
【化９】
2004329810.tif 000004
【００１３】
本発明消臭剤は、このオゾン化したオレイン酸（基材）をエタノール水溶液に溶解させた溶液であり、本発明消臭剤の消臭はオゾンそのものの作用ではなく、これら酸化剤としてのオレイン酸オゾニドやオゾン分解物としての脂肪酸アルデヒド、脂肪酸が臭気成分と反応して消臭効果を発揮するものである。
また、本発明消臭剤は臭気成分のある所に直接または空間に噴霧する事で、悪臭を即効的・持続的に除去できることを可能としている。
【００１４】
本発明消臭剤が一部の臭気成分であるアミノ基、アンモニア、二酸化硫黄とそれぞれ反応した場合、以下のような反応を示す。
【化１０】
2004329810.tif 000005
【化１１】
ＣＨ３（ＣＨ２）７ＣＯＯＨ＋ＮＨ３→ＣＨ３（ＣＨ２）７ＣＯＯＮＨ４
【化１２】
Ｈ２Ｓ＋３（Ｏ）→Ｈ２Ｏ＋ＳＯ２→Ｈ２ＳＯ４
ＳＯ２＋ＣＨ３（ＣＨ２）７ＣＨＯ→ＣＨ３（ＣＨ２）７ＣＳＯ３Ｈ
ＳＯ２＋Ｈ２Ｏ→Ｈ２ＳＯ３
【００１５】
【実施例】
以下に本発明の具体的な実施例を示すが、本発明はこれらの実施例に限定されない。
【００１６】
消臭基剤としてオゾン化オレイン酸を濃度０．５％となるようエタノール水溶液に添加し、攪拌混合して消臭剤を得た。得られた消臭剤をスプレー容器に充填し、下記に示す消臭実験方法にて消臭効果を調べた。結果を表１に示す。
【００１７】
＜タバコ消臭効果＞３ｍ３の空間にタバコ３本を燃焼させ、その煙を拡散した後、６０秒後に本消臭剤１．１ｃｃを噴霧し、さらに６０秒後に３３人のモニターに臭気を評価してもらった。
【００１８】
＜トイレ消臭効果＞福祉施設においてポータブルトイレを使用して消臭効果を調べた。排便する前に便器に本消臭剤０．４４ｃｃを噴霧し、その後、介護者５９人に臭気の評価をしてもらった。
【００１９】
＜消臭効果の評価＞臭気は下記の六段階臭気強度にて評価し、臭気強度０以上１未満を◎、臭気強度１以上３未満を○、臭気強度３以上５以下を×で表示し、該当するモニターの人数を記した。
臭気強度  ０：無臭、１：やっと感知できる臭い、２：何の臭いであるかがわかる弱い臭い、３：楽に感知できる臭い、４：強い臭い、５：強烈な臭い
【００２０】
【表１】
2004329810.tif 000006
【００２１】
以上の結果により、本発明消臭剤は日常代表的な生活臭であるタバコ臭及びトイレ臭に優れた効果を有していることがわかる。
【００２２】
【発明の効果】
上述したように本発明消臭剤は、気相オゾンをオレイン酸に反応させることで得たオゾン化オレイン酸を消臭基材とし、その溶媒としてエタノール水溶液で希釈することで濃度調整を可能とし、スプレー容器により噴霧することで、オゾンと同様の酸化力により日常発生している生活臭にオンサイトで効果を出し、持続性が高く、低コストで持ち運びが簡単で安全であり、前記従来の問題を克服できるものである。